(57)【要約】【課題】車載装置のユーザ登録時の入力作業の負担を低減できる「ユーザ登録支援システム及び携帯型通信装置」を提供する。【解決手段】スマートフォン１のユーザ登録アプリケーション１９３は、接続した車載装置２の装置識別情報を取得すると共に、記憶部１５に記憶されているスマートフォン１のユーザのプロフィール情報を読み出す。そして、登録項目の情報の入力をユーザから受け付けるユーザ登録ウインドウ３００を表示し、車載装置２のユーザ登録で登録する登録項目のうち、装置識別情報に含まれる情報項目に一致する登録項目と、プロフィール情報の情報項目に一致する登録項目の内容を自動入力する。そして、登録ボタン３０３の操作の発生まで、ユーザ登録ウインドウ３００上で、各登録項目の編集を受け付け、登録ボタン３０３の操作が発生したならば、各登録項目の入力内容を登録事項として車載装置２のユーザ登録をユーザ登録サーバ４に対して行う。【選択図】図１
2013149070.tif 000002
【特許請求の範囲】
【請求項１】
自己の識別情報を記憶した車載装置と、前記車載装置と接続可能な携帯型通信装置と、機器の識別を表す登録機器識別情報と当該登録機器識別情報が識別を表す機器のユーザの情報を表す登録ユーザ情報とよりなるユーザ登録情報の登録を受け付けるユーザ登録サーバとを備えたユーザ登録支援システムであって、
前記携帯型通信装置は、
当該携帯型通信装置のユーザのプロフィールを表すプロフィール情報を記憶した記憶手段と、
接続した前記車載装置から当該車載装置に記憶されている前記識別情報を取得する識別情報取得手段と、
無線通信を介して前記ユーザ登録サーバに接続し、前記識別情報取得手段が取得した前記識別情報の少なくとも一部を含めた前記登録機器識別情報と、前記記憶手段に記憶されているプロフィール情報の少なくとも一部を含めた前記登録ユーザ情報とよりなる前記ユーザ登録情報を、前記ユーザ登録サーバに登録するユーザ登録手段を有することを特徴とするユーザ登録支援システム。
【請求項２】
自己の識別情報を記憶した車載装置と、前記車載装置と接続可能な携帯型通信装置と、前記携帯型通信装置から登録を要求されたユーザ登録情報を登録するユーザ登録サーバとを備えたユーザ登録支援システムであって、
前記携帯型通信装置は、
当該携帯型通信装置のユーザの属性を各々表す複数の情報項目からなるプロフィール情報を記憶した記憶手段と、
接続した前記車載装置から当該車載装置に記憶されている前記識別情報を取得する識別情報取得手段と、
複数の登録項目についての情報の入力を、前記各登録項目毎に受け付けるユーザ登録ウインドウを表示し、ユーザの登録指示操作に応じて、当該ユーザ登録ウインドウで入力を受け付けた各登録項目の情報を前記ユーザ登録情報として、当該ユーザ登録情報の登録を前記ユーザ登録サーバに要求するユーザ登録手段とを有し、
前記複数の登録項目は、車載装置の識別情報の項目と、ユーザの属性の項目とを含み、
当該ユーザ登録手段は、前記ユーザ登録ウインドウの表示開始時に、前記複数の登録項目のうちの車載装置の識別情報の項目の情報として、前記識別情報取得手段が取得した識別情報を自動入力し、
前記複数の登録項目のうちのユーザの属性の項目に、前記プロフィール情報の前記情報項目のうちの、当該ユーザの属性を表す前記情報項目の情報を自動入力することを特徴とするユーザ登録支援システム。
【請求項３】
自己の識別情報を記憶した車載装置に接続可能な携帯型通信装置であって、
当該携帯型通信装置のユーザの属性を各々表す複数の情報項目からなるプロフィール情報を記憶した記憶手段と、
接続した前記車載装置から当該車載装置に記憶されている前記識別情報を取得する識別情報取得手段と、
複数の登録項目についての情報の入力を、前記各登録項目毎に受け付けるユーザ登録ウインドウを表示し、ユーザの登録指示操作に応じて、ユーザ登録情報の登録を受け付ける所定のユーザ登録サーバに無線通信を介して接続し、前記ユーザ登録ウインドウで入力を受け付けた各登録項目の情報を前記ユーザ登録情報として前記ユーザ登録サーバに登録するユーザ登録手段とを有し、
前記複数の登録項目は、車載装置の識別情報の項目と、ユーザの属性の項目とを含み、
当該ユーザ登録手段は、前記ユーザ登録ウインドウの表示開始時に、前記複数の登録項目のうちの車載装置の識別情報の項目の情報として、前記識別情報取得手段が取得した識別情報を自動入力し、
前記複数の登録項目のうちのユーザの属性の項目に、前記プロフィール情報の前記情報項目のうちの、当該ユーザの属性を表す前記情報項目の情報を自動入力することを特徴とする携帯型通信装置。
【請求項４】
携帯型のコンピュータに読み取られ実行されるコンピュータプログラムであって、
当該コンピュータを請求項３記載の携帯型通信装置として機能させることを特徴とするコンピュータプログラム。
【請求項５】
自己の識別情報を記憶した車載装置と、前記車載装置と接続可能な携帯型通信装置と、機器の識別を表す登録機器識別情報と当該登録機器識別情報が識別を表す機器のユーザの情報を表す登録ユーザ情報とよりなるユーザ登録情報の登録を受け付けるユーザ登録サーバと、前記携帯型通信装置のユーザのプロフィールを表すプロフィール情報が登録されている情報サービスサーバとを備えたユーザ登録支援システムであって、
前記携帯型通信装置は、
接続した前記車載装置から当該車載装置に記憶されている前記識別情報を取得する識別情報取得手段と、
無線通信を介して前記情報サービスサーバに接続し、前記情報サービスサーバから当該携帯型通信装置のユーザのプロフィールを表すプロフィール情報を取得するプロフィール情報取得手段と、
無線通信を介して前記ユーザ登録サーバに接続し、前記識別情報取得手段が取得した前記識別情報の少なくとも一部を含めた前記登録機器識別情報と、前記プロフィール情報取得手段が取得したプロフィール情報の少なくとも一部を含めた前記登録ユーザ情報とよりなる前記ユーザ登録情報を前記ユーザ登録サーバに登録するユーザ登録手段を有することを特徴とするユーザ登録支援システム。
【発明の詳細な説明】
【技術分野】
【０００１】
本発明は、製品のユーザ登録を支援する技術に関するものである。
【背景技術】
【０００２】
製品のユーザ登録を支援する技術としては、製品の電源投入時に、当該製品において自動的にユーザ登録を管理するサーバと通信を行って、当該製品に記憶されているシリアル番号を、当該製品のユーザから入力を受け付けたユーザの名称や電話番号等と共に、ユーザ登録情報として前記サーバに登録する技術が知られている（たとえば、特許文献１）。
【先行技術文献】
【特許文献】
【０００３】
【特許文献１】特開２００６-１９５５０９号公報
【発明の概要】
【発明が解決しようとする課題】
【０００４】
さて、上述した製品に記憶されているシリアル番号を、当該製品のユーザから入力を受け付けたユーザの名称や電話番号等と共に、ユーザ登録情報としてサーバに登録する技術によれば、ユーザは、製品のユーザ登録時に、ユーザの名称や電話番号等の種々のユーザ自身についての情報を入力する煩雑な作業を行う必要がある。
【０００５】
そこで、本発明は、製品のユーザ登録時のユーザの入力作業の負担を低減することを課題とする。
【課題を解決するための手段】
【０００６】
前記課題達成のために、本発明は、自己の識別情報を記憶した車載装置と、前記車載装置と接続可能な携帯型通信装置と、機器の識別を表す登録機器識別情報と当該登録機器識別情報が識別を表す機器のユーザの情報を表す登録ユーザ情報とよりなるユーザ登録情報の登録を受け付けるユーザ登録サーバとを備えたユーザ登録支援システムを提供する。ここで、前記携帯型通信装置は、当該携帯型通信装置のユーザのプロフィールを表すプロフィール情報を記憶した記憶手段と、接続した前記車載装置から当該車載装置に記憶されている前記識別情報を取得する識別情報取得手段と、無線通信を介して前記ユーザ登録サーバに接続し、前記識別情報取得手段が取得した前記識別情報の少なくとも一部を含めた前記登録機器識別情報と、前記記憶手段に記憶されているプロフィール情報の少なくとも一部を含めた前記登録ユーザ情報とよりなるユーザ登録情報を、前記ユーザ登録サーバに登録するユーザ登録手段とを備えたものである。
【０００７】
また、前記課題達成のために、本発明は、自己の識別情報を記憶した車載装置と、前記車載装置と接続可能な携帯型通信装置と、前記携帯型通信装置から登録を要求されたユーザ登録情報を登録するユーザ登録サーバとを備えたユーザ登録支援システムを提供する。ここで、前記携帯型通信装置は、当該携帯型通信装置のユーザの属性を各々表す複数の情報項目からなるプロフィール情報を記憶した記憶手段と、接続した前記車載装置から当該車載装置に記憶されている前記識別情報を取得する識別情報取得手段と、複数の登録項目についての情報の入力を、前記各登録項目毎に受け付けるユーザ登録ウインドウを表示し、ユーザの登録指示操作に応じて、当該ユーザ登録ウインドウで入力を受け付けた各登録項目の情報を前記ユーザ登録情報として、当該ユーザ登録情報の登録を前記ユーザ登録サーバに要求するユーザ登録手段とを備えたものである。また、前記複数の登録項目は、車載装置の識別情報の項目と、ユーザの属性の項目とを含み、当該ユーザ登録手段は、前記ユーザ登録ウインドウの表示開始時に、前記複数の登録項目のうちの車載装置の識別情報の項目の情報として、前記識別情報取得手段が取得した識別情報を自動入力し、前記複数の登録項目のうちのユーザの属性の項目に、前記プロフィール情報の前記情報項目のうちの、当該ユーザの属性を表す前記情報項目の情報を自動入力するものである。
【０００８】
なお、以上のようなユーザ登録支援システム、携帯型通信装置において、携帯型通信装置を、上述した記憶手段に記憶したプロフィール情報に代えて、情報サービスサーバに登録されている当該携帯型通信装置のユーザのプロフィールを表すプロフィール情報を取得して用いるようにしてもよい。
【０００９】
以上のようなユーザ登録支援システム、携帯型通信装置によれば、当該携帯型通信装置のユーザのプロフィール情報を、車載装置のユーザの属性を表す情報として流用して、車載装置のユーザ登録を行うことができる。
よって、ユーザは、ユーザ登録時に、ユーザの名称や電話番号等の種々のユーザの情報のうち、携帯型通信装置のユーザのプロフィール情報に登録されている情報については、これを入力する必要がなくなり、結果、ユーザの入力作業の負担が低減されることとなる。
【発明の効果】
【００１０】
以上のように、本発明によれば、製品のユーザ登録時のユーザの入力作業の負担を低減することができる。
【図面の簡単な説明】
【００１１】
【図１】本発明の実施形態に係るユーザ登録システムの構成を示すブロック図である。
【図２】本発明の実施形態に係るユーザ登録処理を示すフローチャートである。
【図３】本発明の実施形態に係るユーザ登録ウインドウを示す図である。
【発明を実施するための形態】
【００１２】
以下、本発明の実施形態について、車載装置のユーザ登録を行うユーザ登録システムへの適用を例にとり説明する。
図１に、ユーザ登録システムの構成を示す。
図示するように、ユーザ登録システムは、自動車に搭載される車載装置２、車載装置２のユーザによって携帯されるスマートフォン１、スマートフォン１が移動通信網やインターネットなどのＷＡＮ３を介して接続可能なユーザ登録サーバ４とSocial Networking Serviceサーバ５（ＳＮＳサーバ５）とを含んで構成される。
【００１３】
そして、スマートフォン１は、図示するように、操作部１１、ディスプレイ１２、マイクやスピーカなどを備えた音声入出力部１３、車載装置２と接続するためのホストインタフェース１４、記憶部１５、ＧＰＳ受信機などの周辺デバイス１６、移動電話網にアクセスするための通信装置１７、スマートフォン１のＯＳであるところのＳＰ-オペレーティングシステム１８、ＳＰ-オペレーティングシステム１８によって管理されＳＰ-オペレーティングシステム１８上で稼働するアプリケーションである複数のＳＰ-ＡＰを備えている。
【００１４】
ここで、スマートフォン１は、ＳＰ-ＡＰとして、通信装置や音声入出力部１３や操作部１１を用いた移動電話機としてスマートフォン１を機能させる移動電話アプリケーション１９１、ＳＮＳサーバ５に通信装置１７を介してアクセスし、ＳＮＳサーバ５が提供するSocial Networking Serviceのクライアントとしてスマートフォン１を機能させる機能させるＳＮＳクライアントアプリケーション１９２、通信装置１７を介してユーザ登録サーバ４にアクセスしてユーザ登録を行うユーザ登録アプリケーション１９３、電子メールアプリケーションなどの、その他のアプリケーション１９４を備えている。
【００１５】
ここで、スマートフォン１のユーザであるユーザは、スマートフォン１の記憶部１５に、氏名、住所、メールアドレス、電話番号などの情報項目について、自身の情報をプロフィール情報として登録することができる。なお、プロフィール情報は、移動電話アプリケーション１９１や電子メールアプリケーション等によって使用されるアドレス帳の一部として記憶部１５に記憶されるものであってもよい。
【００１６】
次に、車載装置２は、入力装置２１、表示装置２２、ＧＰＳ受信機やＴＶチューナやＤＶＤプレイヤや音声入出力装置などの周辺装置２３、記憶装置２４、スマートフォン１と接続するためのデバイスインタフェース２５、車載装置２のＯＳであるところのＨ-オペレーティングシステム２６、Ｈ-オペレーティングシステム２６によって管理されＨ-オペレーティングシステム２６上で稼働するアプリケーションであるＨ-ＡＰを備えている。
【００１７】
ここで、車載装置２の記憶装置２４には、当該車載装置２の出荷前に、予め、装置識別情報が記憶される。ここで、装置識別情報は、当該車載装置２の機種（型番）を表す機種名の情報項目と、当該車載装置２の識別番号であるシリアル番号の情報項目の情報とを含む。
【００１８】
また、次に、車載装置２は、Ｈ-ＡＰとして、車載装置２をカーナビゲーションとして機能させるナビゲーションアプリケーション２７１、デバイスインタフェース２５を介して受信したスマートフォン１からの要求に応じて記憶装置２４に記憶されている装置識別情報をスマートフォン１に転送する装置識別情報提供アプリケーション２７２、その他の、車載装置２をミュージックプレイヤとして機能させるミュージックプレイヤアプリケーション等のアプリケーション２７３を備えている。
【００１９】
なお、スマートフォン１のホストインタフェース１４と車載装置２のデバイスインタフェース２５は、Bluetooth（登録商標）や、WIFI、USBなどにより接続し、相互通信を行うものである。
以下、このような構成における車載装置２のユーザ登録を支援するために、スマートフォン１のユーザ登録アプリケーション１９３が行うユーザ登録処理について説明する。
ここで、スマートフォン１のユーザ登録アプリケーション１９３は、スマートフォン１がホストインタフェース１４を介して車載装置２と接続したときにＳＰ-オペレーティングシステム１８によって起動され、ユーザ登録処理を実行する。
図２に、このユーザ登録処理の手順を示す。
図示するように、この処理では、まず、スマートフォン１が接続した車載装置２の装置識別情報提供アプリケーション２７２に装置識別情報を要求することにより、車載装置２から当該車載装置２の記憶装置２４に記憶されている装置識別情報を取得する（ステップ２０２）。
【００２０】
なお、車載装置２の装置識別情報提供アプリケーション２７２は、スマートフォン１がデバイスインタフェース２５を介して車載装置２と接続したときにＨ-オペレーティングシステム２６によって起動される。または、装置識別情報提供アプリケーション２７２の起動は、スマートフォン１のユーザ登録アプリケーション１９３から車載装置２のＨ-オペレーティングシステム２６に、装置識別情報提供アプリケーション２７２の起動を要求し、Ｈ-オペレーティングシステム２６がこれに応えて装置識別情報提供アプリケーション２７２を起動することにより行うようにしてもよい。
【００２１】
さて、次に、接続した車載装置２から装置識別情報を取得したならば（ステップ２０２）、取得した装置識別情報が既に登録済装置識別情報として記憶部１５に記憶されているかどうかを調べ（ステップ２０４）、登録されていればユーザ登録処理を終了し、登録されていなければステップ２０６に進む。ここで、登録済装置識別情報は、過去にユーザ登録アプリケーション１９３がユーザ登録の処理を行った車載装置２の装置識別情報を表すものであり、初期状態において記憶部１５には、登録済装置識別情報は一切記憶されていない。
【００２２】
したがって、スマートフォン１が車載装置２に接続したときに、当該車載装置２がスマートフォン１に初めて接続された車載装置２である場合には、ステップ２０６に進むこととなる。
次に、ステップ２０６に進んだならば、ユーザ登録アプリケーション１９３は、ステップ２０２で車載装置２から取得した装置識別情報が表す車載装置２のユーザ登録が既に完了しているかどうかを問い合わせる登録有無問い合わせを、通信装置１７を介してユーザ登録サーバ４に発行する。
【００２３】
ここで、ユーザ登録サーバ４は、ユーザ登録が完了している各車載装置２について、ユーザ登録情報として記憶しており、ユーザ登録情報は、車載装置２の装置識別情報である登録装置識別情報と、当該車載装置２のユーザの氏名、住所などの情報である登録ユーザ情報とよりなる。そして、ユーザ登録サーバ４は、登録有無問い合わせをスマートフォン１のユーザ登録アプリケーション１９３から受信したならば、問い合わせを受けた装置識別情報を登録装置識別情報として含むユーザ登録情報が記憶されている場合には登録済を、記憶されていない場合には、未登録をスマートフォン１のユーザ登録アプリケーション１９３に応答する。
【００２４】
次に、ユーザ登録アプリケーション１９３は、登録有無問い合わせの応答として、ユーザ登録サーバ４から登録済を受信した場合には（ステップ２０８）、ユーザ登録処理を終了し、登録されていなければ（ステップ２０８）ステップ２１０に進む。
そして、ステップ２１０に進んだならば、記憶部１５からプロフィール情報を読み出し、表示部に、車載装置２のユーザ登録の指示と、所定の登録項目の情報の入力とをユーザから受け付けるためのユーザ登録ウインドウを表示する（ステップ２１２）。
ここでユーザ登録ウインドウの例を図３に示す。
図示するように、ユーザ登録ウインドウ３００には、車載装置２のユーザ登録を行うことができる旨のメッセージ３０１と、機種名、シリアル番号、氏名、性別、生年月日、住所、メールアドレス、電話番号の各登録項目に各々対応して設けた、対応する登録項目の情報の入力を受け付ける入力ボックス３０２と、登録指示を受け付けるための登録ボタン３０３と、キャンセル指示受け付けるためのキャンセルボタン３０４とが設けられている。
【００２５】
さて、図２に戻り、このようなユーザ登録ウインドウ３００を表示したならば、ユーザ登録ウインドウ３００で入力を受け付ける登録項目のうち、ステップ２０２で車載装置２から取得した装置識別情報に含まれる情報項目に一致する登録項目については、当該一致する装置識別情報の情報項目の内容を自動入力する。また、ユーザ登録ウインドウ３００で入力を受け付ける登録項目のうち、記憶部１５から読み出したプロフィール情報の情報項目と一致する登録項目については、当該一致するプロフィール情報の情報項目の内容を自動入力する（ステップ２１４）。
【００２６】
すなわち、図３に示したユーザ登録ウインドウ３００を用いる場合には、機種名とシリアル番号の登録項目が、車載装置２から取得した装置識別情報に含まれる情報項目に一致するので、ユーザ登録ウインドウ３００の機種名とシリアル番号との入力ボックス３０２に、それぞれ、装置識別情報に含まれている機種名とシリアル番号が、図示するように自動入力される。
【００２７】
また、記憶部１５から読み出したプロフィール情報に、氏名、メールアドレス、電話番号の情報項目の情報が含まれているものとして、この場合には、氏名とメールアドレスと電話番号の登録項目が、記憶部１５から読み出したプロフィール情報に含まれる情報項目に一致するので、ユーザ登録ウインドウ３００の氏名とメールアドレスと電話番号との入力ボックス３０２に、それぞれ、プロフィール情報に含まれている氏名とメールアドレスと電話番号が、図示するように自動入力される。
【００２８】
図２に戻り、以上のように登録項目の自動入力を行ったならば（ステップ２１４）、ユーザからの、キャンセルボタン３０４の操作によるキャンセル指示か（ステップ２１８）、登録ボタン３０３の操作による登録指示（ステップ２２０）が発生するまで、ユーザ登録ウインドウ３００上で、各登録項目の編集（入力、消去、修正等）を受け付ける（ステップ２１６）。ここで、ステップ２１６では、ステップ２１４で自動入力しなかった登録項目の入力ボックス３０２への入力を受け付ける他、ステップ２１４で自動入力した登録項目の入力ボックス３０２の入力内容の修正、削除も受け付ける。
【００２９】
そして、キャンセル指示を受け付けた場合には（ステップ２１８）、ユーザ登録ウインドウ３００を消去して（ステップ２２６）、ユーザ登録処理を終了する。
一方、登録指示を受け付けた場合には（ステップ２２０）、その時点でユーザ登録ウインドウ３００の各登録項目の入力ボックス３０２に入力されている内容のうち、機種名とシリアル番号の登録項目の入力ボックス３０２に入力されている内容を登録装置識別情報とし、氏名、性別、生年月日等の他の登録項目の入力ボックス３０２に入力されている内容を登録ユーザ情報とするユーザ登録情報の登録を要求するユーザ登録要求をユーザ登録サーバ４に発行することにより、車載装置２のユーザ登録を実行する（ステップ２２２）。
【００３０】
ここで、スマートフォン１のユーザ登録アプリケーション１９３からユーザ登録要求を受け取ったユーザ登録サーバ４は、登録を要求されたユーザ登録情報を記憶し、これによって車載装置２のユーザ登録が完了する。
そして、次に、ユーザ登録アプリケーション１９３は、車載装置２のユーザ登録を実行したならば、ステップ２０２で取得した装置識別情報を登録済装置識別情報として記憶部１５に記憶し（ステップ２２４）、ユーザ登録ウインドウ３００を消去した上で（ステップ２２６）、ユーザ登録処理を終了する。
【００３１】
以上、スマートフォン１のユーザ登録アプリケーション１９３が行うユーザ登録処理について説明した。
ところで、以上では、ユーザ登録アプリケーション１９３において、記憶部１５に記憶されているプロフィール情報を用いて、ユーザ登録ウインドウ３００の登録項目の入力ボックス３０２への自動入力を行うようにしたが、記憶部１５に記憶されているプロフィール情報に代えて、インターネットなどのＷＡＮ３上にあるスマートフォン１のユーザのプロフィール情報をユーザ登録ウインドウ３００の登録項目の入力ボックス３０２への自動入力に用いるようにしてもよい。
【００３２】
すなわち、たとえば、この場合には、ユーザ登録アプリケーション１９３は、ＳＮＳクライアントアプリケーション１９２を介してＳＮＳサーバ５に登録されているスマートフォン１のユーザのアカウントのプロフィール情報を取得し、ＳＮＳサーバ５から取得したプロフィール情報をーザ登録ウインドウの登録項目の入力ボックス３０２への自動入力に用いるようにする。
【００３３】
以上、本発明の実施形態について説明した。
上述してきたように、本実施形態によれば、スマートフォン１のユーザのプロフィール情報を、車載装置２のユーザの属性を表す情報として流用して、車載装置２のユーザ登録を行うことができる。
よって、ユーザは、ユーザ登録時に、ユーザの名称や電話番号等の種々のユーザの情報を表す登録項目のうち、スマートフォン１のユーザのプロフィール情報に登録されている情報については、これを入力する必要がなくなり、結果、ユーザの入力作業の負担が低減されることとなる。
【符号の説明】
【００３４】
１…スマートフォン、２…車載装置、３…ＷＡＮ、４…ユーザ登録サーバ、５…ＳＮＳサーバ、１１…操作部、１２…ディスプレイ、１３…音声入出力部、１４…ホストインタフェース、１５…記憶部、１６…周辺デバイス、１７…通信装置、１８…ＳＰ-オペレーティングシステム、２１…入力装置、２２…表示装置、２３…周辺装置、２４…記憶装置、２５…デバイスインタフェース、２６…Ｈ-オペレーティングシステム、１９１…移動電話アプリケーション、１９２…ＳＮＳクライアントアプリケーション、１９３…ユーザ登録アプリケーション、２７１…ナビゲーションアプリケーション、２７２…装置識別情報提供アプリケーション。
【図１】
2013149070.tif 000003
【図２】
2013149070.tif 000004
【図３】
2013149070.tif 000005